(57)【要約】【課題】より総合評価の高い体液吸収性物品を提供する。【解決手段】次の（イ）及び（ロ）の両要件を満足すること特徴とする体液吸収性物品とする。（イ）熱物性測定装置を用い、空間条件を温度２０℃かつ湿度６５％ＲＨに設定し、人工経血を３ｍｌ含ませた縦５ｃｍ×横５ｃｍのサンプルの身体側面を、温度３０℃の熱板表面に接触させて計測される熱損失Ｑｗが１８．０Ｗ／ｍ２・Ｋ以上。（ロ）表面試験機を用い、物品の身体側面に対し、０．５ｍｍ径のピアノ線を１０本並べ接触面積を縦１ｃｍ×横１ｃｍとした接触子を５０ｇｆの力で圧接し、移動速度を１ｍｍ／ｓｅｃとして測定される、身体側面の平均摩擦係数ＭＩＵが０．２３以下。【選択図】なし【特許請求の範囲】
【請求項１】
次の（イ）及び（ロ）の両要件を満足すること特徴とする体液吸収性物品。
（イ）熱物性測定装置を用い、空間条件を温度２０℃かつ湿度６５％ＲＨに設定し、人工経血を３ｍｌ含ませた縦５ｃｍ×横５ｃｍのサンプルの身体側面を、温度３０℃の熱板表面に接触させて計測される熱損失Ｑｗが１８．０Ｗ／ｍ２・Ｋ以上。
（ロ）表面試験機を用い、物品の身体側面に対し、０．５ｍｍ径のピアノ線を１０本並べ接触面積を縦１ｃｍ×横１ｃｍとした接触子を５０ｇｆの力で圧接し、移動速度を１ｍｍ／ｓｅｃとして測定される、身体側面の平均摩擦係数ＭＩＵが０．２３以下。
【請求項２】
次の（ハ）〜（ホ）のうちの少なくとも一つの要件をさらに満足する請求項１記載の体液吸収性物品。
（ハ）圧縮試験機を用い、物品における身体と接触する縁部に対し、面積２ｃｍ２の円形加圧板を最大荷重５０ｇｆ／ｃｍ２かつ圧縮速度０．１０ｃｍ／ｓｅｃの条件で圧接して測定される初期厚みＴ０ｅが２．４ｍｍ以下。
（ニ）圧縮試験機を用い、物品における身体と接触する縁部に対し、面積２ｃｍ２の円形加圧板を最大荷重５０ｇｆ／ｃｍ２かつ圧縮速度０．１０ｃｍ／ｓｅｃの条件で圧接して測定される、圧縮レジリエンスＲＣｅが２３％以下。
（ホ）熱物性測定装置を用い、物品を、身体側面が熱板側となるように、温度３０℃の熱板と温度２０℃の金属板との間に挟み、計測される熱コンダクタンスＫが２０Ｗ／ｍ２・Ｋ以上。
【請求項３】
人工経血を含ませた状態における熱損失Ｑｗおよび平均摩擦係数ＭＩＵを測定し、少なくともこれらの各測定値の総合評価に基づき体液吸収性物品の品質評価を行うことを特徴とする体液吸収性物品の評価方法。
【請求項４】
人工経血を含ませた状態における熱損失Ｑｗおよび平均摩擦係数ＭＩＵを測定し、少なくともこれらの各測定値の総合評価により、製品の基準を管理しながら体液吸収性物品を製造することを特徴とする体液吸収性物品の製造方法。
【発明の詳細な説明】
【０００１】
【発明の属する技術分野】
本発明は、生理用ナプキン、使い捨て紙おむつなどの体液吸収性物品、体液吸収性物品の評価方法及び体液吸収性物品の製造方法に関する。
【０００２】
【従来の技術】
体液吸収性物品に対する需要者の要求は、総合的な使用感が良好であることであり、これには、１．  薄い〜厚い、２．  軽い〜重い、３．  柔らかい〜かたい、４．  なめらか〜ざらざら、５．  あたたかい〜冷たい、６．  蒸れない〜蒸れる、７．  弾力がある〜弾力がない、８．  動作しやすい〜動作しにくい（装着状態で動いても違和感が少ない〜違和感がある）、９．  肌触りが良い〜肌触りが悪い等の項目が影響を与える。
【０００３】
しかし、これらの項目は、元来、評価する個人に特有のものであり全ての人に一律なものではない。また、評価する個人のその日の体調や気分によって左右されるもので、評価は相対的である。さらに、実際には、これらの項目が複雑に絡み合って、使用感が良いものと使用感が悪いものとに分類されるものである。
【０００４】
他方、製品を製造する側からみると、経験的には、ある要素を変えると、ある評価がこう変わるであろうと推測がつくが、その推測も曖昧であり、絶対的なものではない。
【０００５】
したがって、製品の開発過程では、多数の人の支持が得られるように、ある程度の人数の官能評価をその都度経ながら、順次項目ごとの改良を加えて行くことのほかに方策がない。
【０００６】
【発明が解決しようとする課題】
しかし、ある項目を改良するべく何らかの要素を変えると、他の項目が影響を受け、結果的に、製品の総合評価が知らずのうちに悪化することもある。
【０００７】
またそのため、製品の開発や生産管理が非常に困難となっている。
【０００８】
したがって、本発明の主たる課題は、より総合評価の高い製品を提供することにある。また、他の課題は、製品の開発や生産管理を容易にすることにある。（例えば特許文献１参照）。
【特許文献１】
特開特開２００２−３４５８８５号公報
【０００９】
【課題を解決するための手段】
上記課題は解決した本発明は次記のとおりである。
＜請求項１項記載の発明＞
次の（イ）及び（ロ）の両要件を満足すること特徴とする体液吸収性物品。
（イ）熱物性測定装置を用い、空間条件を温度２０℃かつ湿度６５％ＲＨに設定し、人工経血を３ｍｌ含ませた縦５ｃｍ×横５ｃｍのサンプルの身体側面を、温度３０℃の熱板表面に接触させて計測される熱損失Ｑｗが１８．０Ｗ／ｍ２・Ｋ以上。
（ロ）表面試験機を用い、物品の身体側面に対し、０．５ｍｍ径のピアノ線を１０本並べ接触面積を縦１ｃｍ×横１ｃｍとした接触子を５０ｇｆの力で圧接し、移動速度を１ｍｍ／ｓｅｃとして測定される、身体側面の平均摩擦係数ＭＩＵが０．２３以下。
【００１０】
＜作用効果＞
本発明者らは、最も個人差の大きい総合的な官能評価としての使用感の良し悪しと、物品の諸特性とを徹底的に調べた結果、驚くべきことに、経血による湿潤状態で計測される身体側面における湿潤熱損失と、身体側面における平均摩擦係数とが、他の諸特性と比べて、使用感の良し悪しに対する相関が著しく強いことを知見した。しかもこの傾向は、季節に関係なく、また生理の有無にも関係ないものであった。
【００１１】
本発明はかかる知見に基づいてなされたものであり、上記特定の熱損失および平均摩擦係数の範囲の組み合わせることで、季節に関係なく、また生理の有無にも関係なく、総合的官能評価としての使用感を顕著に向上できるものである。また、かかる範囲の吸収性物品は新規なものである。
【００１２】
＜請求項２項記載の発明＞
次の（ハ）〜（ホ）のうちの少なくとも一つの要件をさらに満足する請求項１記載の体液吸収性物品。
（ハ）圧縮試験機を用い、物品における身体と接触する縁部に対し、面積２ｃｍ２の円形加圧板を最大荷重５０ｇｆ／ｃｍ２かつ圧縮速度０．１０ｃｍ／ｓｅｃの条件で圧接して測定される初期厚みＴ０ｅが２．４ｍｍ以下。
（ニ）圧縮試験機を用い、物品における身体と接触する縁部に対し、面積２ｃｍ２の円形加圧板を最大荷重５０ｇｆ／ｃｍ２かつ圧縮速度０．１０ｃｍ／ｓｅｃの条件で圧接して測定される、圧縮レジリエンスＲＣｅが２３％以下。
（ホ）熱物性測定装置を用い、物品を、身体側面が熱板側となるように、温度３０℃の熱板と温度２０℃の金属板との間に挟み、計測される熱コンダクタンスＫが２０Ｗ／ｍ２・Ｋ以上。
【００１３】
＜作用効果＞
前述の湿潤熱損失および平均摩擦係数に次いで、上記（ハ）〜（ホ）の特性が他の特性と比較して使用感に対する相関が強く、上記範囲内にあると使用感が向上する。
【００１４】
＜請求項３項記載の発明＞
人工経血を含ませた状態における熱損失Ｑｗおよび平均摩擦係数ＭＩＵを測定し、少なくともこれらの各測定値の総合評価に基づき体液吸収性物品の品質評価を行うことを特徴とする体液吸収性物品の評価方法。
【００１５】
＜作用効果＞
かかる評価方法によれば、使用感を客観的に評価できる。
【００１６】
＜請求項４項記載の発明＞
人工経血を含ませた状態における熱損失Ｑｗおよび平均摩擦係数ＭＩＵを測定し、少なくともこれらの各測定値の総合評価により、製品の基準を管理しながら体液吸収性物品を製造することを特徴とする体液吸収性物品の製造方法。
【００１７】
＜作用効果＞
かかる評価方法によれば、使用感を客観的に評価できるため、開発・生産管理がより容易になる。
【００１８】
【発明の実施の形態】
本発明に係る体液吸収性物品では、物性測定装置を用い、空間条件を温度２０℃かつ湿度６５％ＲＨに設定し、人工経血を３ｍｌ含ませた縦５ｃｍ×横５ｃｍのサンプルの身体側面を、温度３０℃の熱板表面に接触させて計測される熱損失Ｑｗが１８．０Ｗ／ｍ２・Ｋ以上であることを要する。この熱損失値Ｑｗが大きいほど使用感は向上する。熱損失値Ｑｗは、１８．１Ｗ／ｍ２・Ｋ以上が好ましく、特に１８．５Ｗ／ｍ２・Ｋ以上であるのが好ましい。この熱損失値Ｑｗは、前述の評価項目の「６．  蒸れない〜蒸れる」に対する相関が極めて強いだけでなく、予想に反して、例えば評価項目の「４．  なめらか〜ざらざら」や、評価項目の「８．  動作しやすい〜動作しにくい」等、他の全ての評価項目に対する相関も極めて強いものであり、総合的評価項目である使用感への影響が季節を問わず、また生理の有無を問わず大きいものである。
【００１９】
熱損失値を本発明の範囲まで大きくするには、例えば▲１▼全体の厚みを減らす、▲２▼吸収体中央部等の一部の厚みを減らす、▲３▼表面材（後述）にメッシュを用いる、▲４▼例えばセカンドシート（後述）を用いる等して表面材から吸収体（後述）へ体液をスムーズに移行させ且つ平面方向へ拡散させるように構成する、等の手段を単独で若しくは適宜組み合わせて採用することで達成できる。
【００２０】
さらに、本発明に係る体液吸収性物品では、表面試験機を用い、物品の身体側面に対し、０．５ｍｍ径のピアノ線を１０本並べ接触面積を縦１ｃｍ×横１ｃｍとした接触子を５０ｇｆの力で圧接し、移動速度を１ｍｍ／ｓｅｃとして測定される、身体側面の平均摩擦係数ＭＩＵが０．２３以下であることを要する。この平均摩擦係数ＭＩＵは、数値が大きくなるほど滑りにくくなるものである。平均摩擦係数ＭＩＵは、０．２０以下であるのが好ましく、特に０．１９以下であるのが好ましい。平均摩擦係数ＭＩＵは、前述の評価項目の「４．  なめらか〜ざらざら」や「９．  肌触りが良い〜肌触りが悪い」のような表面特性に係るもののみに対し相関があるのではないかと予想していたが、その予想に反して、例えば評価項目の「１．  薄い〜厚い」や、「２．  軽い〜重い」、「７．  弾力がある〜弾力がない」のような形状・構造的評価から「６．  蒸れない〜蒸れる」のような熱特性に係る評価まで、およそ無関係と思われる他の全ての評価項目に対する相関も極めて強く、しかも総合的評価項目である使用感への影響が季節や生理の有無に関係なく大きいものである。
【００２１】
平均摩擦係数ＭＩＵを本発明の範囲まで小さくするには、例えば▲１▼表面材にメッシュを用いる（例えば特願２００１−１５４３２３号参照）、▲２▼表面の凹凸加工の面積を減らす、▲３▼微小なエンボス加工を施す（例えば特願２００１−１５４３２３号参照）、▲４▼例えば吸収体のみに又は製品の表面材若しくは裏面材側から吸収体に至るようにエンボス加工を施す（例えば特願２００２−１６９８６５号、特願２００３−９３６８３号参照）等により製品構造をねじれ易いものにする、若しくはねじれ易い素材を用いる、▲５▼圧縮され易い製品構造若しくは素材を用いる、等の手段を単独で若しくは適宜組み合わせて採用することで達成できる。
【００２２】
これらのことからも判るように、本発明に従って上記両条件を満足する物品とすることにより、使用感が著しく向上するようになる。また、次の（ハ）〜（ホ）のうちの少なくとも一つの条件を加味すると、さらに使用感が向上した好ましい物品となる。
（ハ）圧縮試験機を用い、物品における身体と接触する縁部（脚周り縁部の他、おむつにあっては腰周り縁部も含まれる。以下同じ。）に対し、面積２ｃｍ２の円形加圧板を最大荷重５０ｇｆ／ｃｍ２かつ圧縮速度０．１０ｃｍ／ｓｅｃの条件で圧接して測定される初期厚みＴ０ｅは、「１．  薄い〜厚い」に対する相関はもとより、評価項目の「４．  なめらか〜ざらざら」のように無関係と思われる評価項目との相関も強く、この値Ｔ０ｅが２．４ｍｍ以下であると製品の使用感が顕著に向上する。初期厚みＴ０ｅは、１．９ｍｍ以下であるのが好ましく、特に１．８ｍｍ以下であるのが好ましい。初期厚みＴ０ｅは構造の簡素化や部材厚みを減らす等の手段を単独若しくは適宜組み合わせることにより減少させることができる。
【００２３】
（ニ）圧縮試験機を用い、物品における身体と接触する縁部に対し、面積２ｃｍ２の円形加圧板を最大荷重５０ｇｆ／ｃｍ２かつ圧縮速度０．１０ｃｍ／ｓｅｃの条件で圧接して測定される圧縮レジリエンスＲＣｅは、値が大きいほど反発力が強いことを意味するものであり、使用感に対する相関が上記初期厚みＴ０ｅと同程度に強く、その値ＲＣｅが２３％以下であると、製品の使用感が顕著に向上する。圧縮レジリエンスＲＣｅは、２１％以下であるのが好ましく、特に２０％以下であるのが好ましい。圧縮レジリエンスＲＣｅは、例えば吸収体のみに又は製品の表面材若しくは裏面材側から吸収体に至るようにエンボス加工を施す（例えば特願２００２−１６９８６５号、特願２００３−９３６８３号参照）等により製品構造をねじれ易いものにする、ねじれ易い素材を用いる、圧縮され易い製品構造若しくは素材を用いる、等の手段を単独若しくは適宜組み合わせることにより、減少させることができる。
【００２４】
（ホ）熱物性測定装置を用い、物品を、身体側面が熱板側となるように、温度３０℃の熱板と温度２０℃の金属板との間に挟み、計測される熱コンダクタンスＫは、値が大きくなるほど熱が伝わりやすいことを意味し、評価項目の「５．あたたかい〜冷たい」や「６．  蒸れない〜蒸れる」のような熱特性に係る評価のみと相関があるものと予想していたが、これも予想に反して、評価項目の「１．  薄い〜厚い」、「２．  軽い〜重い」のような形状・構造的評価や、「７．  弾力がある〜弾力がない」、「８．  動作しやすい〜動作しにくい」といった評価にまで影響するものであり、使用感に対する相関が上記初期厚みＴ０ｅおよび圧縮レジリエンスＲＣｅと同程度に強く、その値が２０Ｗ／ｍ２・Ｋ以上、特に２５  Ｗ／ｍ２・Ｋ以上であると、製品の使用感が顕著に向上する。
【００２５】
他方、上記の知見を応用すれば、上記の計測値のうち少なくとも人工経血を含ませた状態における熱損失Ｑｗおよび平均摩擦係数ＭＩＵを測定し、これらの各測定結果を総合的に評価すれば、体液吸収性物品の使用感を客観的に評価できるようになる。さらに、かかる評価を製品の品質管理に応用し、各測定値の総合評価により、製品の基準を管理しながら体液吸収性物品を製造することにより、安定した品質の製品を製造できるようになる。
【００２６】
また、本発明に関連する測定値（イ）〜（ホ）ならびに他の測定値は、前述の手段の他、吸収性物品における使用素材・構造・形状・重量等を適宜選択することにより調整できる。
【００２７】
なお、以上に述べた本発明の特徴事項は、以下に述べる実施例により明らかとなるものである。
【００２８】
【実施例】
《概要》
表１に示す本発明に係る生理用ナプキン（実施例１、２）ならびに市販の各種生理用ナプキン５種類について、重量（Ｗｅｉ）の測定、並びに下記の試験機（いずれもカトーテック社製）による測定を行うとともに、被験者に実際に使用してもらい、官能評価１０項目（１．  薄い〜厚い、２．  軽い〜重い、３．  柔らかい〜かたい、４．  なめらか〜ざらざら、５．  あたたかい〜冷たい、６．  蒸れない〜蒸れる、７．  弾力がある〜弾力がない、８．  動作しやすい〜動作しにくい（装着状態で動いても違和感が少ない〜違和感がある）、９．  肌触りが良い〜肌触りが悪い、１０．  使用感が良い〜悪い）についてアンケートを取った。
【００２９】
なお、被験者は１９歳から３９歳までの社会人と学生とした。生理の有無に関係なく、６月から７月にかけて（夏季に）行った調査では生理中でない被験者２５名、生理中の被験者１７名、生理中の人に限って、１０月から１２月にかけて（冬季に）行った調査では２１名であった。また、各官能評価は、−３〜＋３の７段階評価（例えば項目１．の薄い〜厚いでは、最も薄く感じたものを−３とし、最も厚く感じたものを＋３とし、項目１０．の使用感が良い〜悪いでは、最も使用感が良いものを−３とし、最も使用感が悪いものを＋３とする意味）とし、各評価項目の平均値をそれぞれの項目の主観評価値とし、更に全ての評価者の主観平均値と各評価者の主観評価値との相関係数が０．４以上の被験者の評価値のみを選抜してその平均値を最終的な評価値とした。また、各官能評価はナプキン装着直後（０ｈ）、装着後３０分経過後（０．５ｈ）、装着後１時間経過後（１ｈ）、装着後２時間経過後（２ｈ）の４回行うこととした。
【００３０】
また、これらの試験結果に基づき、各種測定値と官能評価との相関係数を求めた。
【００３１】
《ＫＥＳＦＢ３−ＡＵＴＯ−Ａ自動化圧縮試験機による測定》
Ａ．試験方法
物品の所定部位に対し、面積２ｃｍ２の円形加圧板を最大荷重５０ｇｆ／ｃｍ２かつ圧縮速度０．１０ｃｍ／ｓｅｃの条件で圧接して測定した。
【００３２】
Ｂ．測定値
Ｂ−１．初期厚み（厚み）Ｔ０
初期厚みは圧縮性を有する素材の客観的な厚さを示すものである。なお、Ｔ０ｅ  およびＴ０ｃは脚周りと接触する縁部、排血口と接触する幅方向中央部における値をそれぞれ意味する。
Ｂ−２．圧縮の直線性ＬＣ
圧縮の直線性（無単位）は、小さな力での圧縮性を示すものであり、数値が大きくなるほど硬いことを意味する。なお、ＬＣｅおよび  ＬＣｃは脚周りと接触する縁部、排血口と接触する幅方向中央部における値をそれぞれ意味する。
Ｂ−３．圧縮エネルギーＷＣ
圧縮エネルギー（ｇｆ・ｃｍ／ｃｍ２）は、圧縮の仕事量であり、数値が大きくなるほど圧縮されやすいことを意味する。なお、ＷＣ  ｅおよび  ＷＣ  ｃは脚周りと接触する縁部、排血口と接触する幅方向中央部における値をそれぞれ意味する。
Ｂ−４．圧縮レジリエンスＲＣ
圧縮レジリエンス（％）は、圧縮に対する弾性を示すものであり、数値が大きくなるほど圧縮に対する反発性があることを意味する。なお、ＲＣ  ｅおよび  ＲＣ  ｃは脚周りと接触する縁部、排血口と接触する幅方向中央部における値をそれぞれ意味する。
【００３３】
《ＫＥＳねじり試験機による測定》
Ａ．試験方法
幅８ｃｍのサンプルを把持し、ねじり速度１２°／ｓｅｃで、かつねじり角  ±１８°の範囲でねじり変形を与えて測定するものである。本実施例では、ねじり角度２〜６°におけるねじり剛性ｇ（ｇｆ／ｃｍ・ｄｅｇ）、ねじり角度φ＝９°におけるヒステレシス２ｈｇ（ｇｆ／ｃｍ）をとりあげた。
【００３４】
Ｂ．測定値
Ｂ−１．ねじり剛性ｇ
ねじり剛性（ｇｆ／ｃｍ・ｄｅｇ）は数値が大きくなるほどねじりにくくなることを意味する。なお、ねじり剛性は、例えば吸収体のみに又は製品の表面材若しくは裏面材側から吸収体に至るようにエンボス加工を施す（例えば特願２００２−１６９８６５号、特願２００３−９３６８３号参照）等により製品構造をねじれ易いものにする、ねじれ易い素材を用いることの他、圧縮され易い製品構造若しくは素材を用いる、等の手段を単独若しくは適宜組み合わせることにより、減少させることができる。
Ｂ−２．ねじりヒステリシス：２ｈｇ
ねじりヒステリシス（ｇｆ／ｃｍ）は、ねじりに対する弾性を示すものであり、数値が大きくなるほどねじりに対する反発性がないことを意味する。
【００３５】
《ＫＥＳ−ＦＢ１−ＡＵＴＯ−Ａ自動化引張り・せん断試験機による測定》
Ａ．試験方法
縦１０ｃｍ×１０ｃｍ横のサンプルの両端各５ｃｍの部分をチャックに挟み、中間の長さ５ｃｍの部分に一定の引張加重を与えた状態で、剪断角φ＝±８°まで剪断変形を与えて測定を行い、測定結果のうち、せん断角度２〜６°における布１ｃｍ幅あたりの剪断剛性Ｇ  （ｇｆ／ｃｍ・ｄｅｇ）、せん断角φ＝４°における剪断ヒステレシス２ＨＧ  （ｇｆ／ｃｍ）をとりあげた。
【００３６】
Ｂ．測定値
Ｂ−１．剪断剛性Ｇ
剪断剛性（ｇｆ／ｃｍ・ｄｅｇ）は、剪断に対する剛さを示すものであり、数値が大きくなるほど剪断変形しにくいことを意味する。
Ｂ−２．剪断ヒステリシス２ＨＧ
剪断ヒステリシス（ｇｆ／ｃｍ）は、小さなせん断に対する弾性を示すものであり、数値が大きくなるほど剪断歪がもどりにくいことを意味する。
【００３７】
《ＫＥＳＦＢ４−ＡＵＴＯ−Ａ自動化表面試験機による測定》
Ａ．試験方法
０．５ｍｍ径のピアノ線を１０本並べて、人の指紋を模擬した接触面積１×１ｃｍの接触子をサンプルの身体側面に当て、接触子のサンプルに対する加圧力を５０ｇｆとし、移動速度を１ｍｍ／ｓｅｃとして、平均摩擦係数ＭＩＵ（無単位）、摩擦係数の平均偏差ＭＭＤ（無単位）を測定した。また、０．５ｍｍ径のピアノ線を曲げた接触子をサンプルの身体側面に当て、接触子のサンプルに対する加圧力を１０ｇｆとして、表面粗さの平均偏差ＳＭＤ（μｍ）を測定した。
【００３８】
Ｂ．測定値
Ｂ−１．平均表面摩擦係数ＭＩＵ
平均表面摩擦係数は、数値が大きくなるほど滑りにくいことを意味するものである。
Ｂ−２．表面摩擦係数の変動性（平均偏差）ＭＭＤ
表面摩擦係数の変動性は、摩擦のばらつきを示すものであり、数値が大きくなるほどざらざらしていることを意味する。
Ｂ−３．表面粗さ（平均偏差）ＳＭＤ
表面粗さ（μｍ）は、数値が大きくなるほど凹凸があることを意味するものである。
【００３９】
《ＫＥＳ−Ｆ７  ２型精密迅速熱物性測定装置による測定》
Ａ．試験方法
サンプルの身体側面が熱板側となるように、温度３０℃の熱板と温度２０℃の金属板との間に挟み、サンプルより１０℃高い温度の熱板を試料に接触させたときの熱流束最大値ｑｍａｘ（Ｗ／ｍ２）と、熱伝導特性として熱コンダクタンスＫ（Ｗ／ｍ２・Ｋ）とを測定した。また、熱抵抗ＴＲ（ｍ２・Ｋ／Ｗ）は熱コンダクタンスＫの逆数をとり算出した。
空間条件を温度２０℃かつ湿度６５％ＲＨに設定し、縦５ｃｍ×横５ｃｍのサンプルの身体側面を、温度３０℃の熱板表面に接触させて熱損失Ｑを計測した。計測に際しては、サンプル上面の空気条件を可能な限り一定に保つために、周囲を円筒状の風洞により囲み、Ｖ＝０．３ｍ／ｓｅｃの整流空気をサンプル表面に垂直にあてながら計測を行った。
【００４０】
Ｂ．測定値
Ｂ−１．熱流速最大値ｑｍａｘ
熱流速最大値（Ｗ／ｍ２）は接触冷温感を示すものであり、数値が大きくなるほど冷たく感じることを意味する。
Ｂ−２．熱コンダクタンスＫ
熱コンダクタンス（Ｗ／ｍ２Ｋ）にサンプル厚さを乗じるとともに温度差で除して求まる熱伝導率λ（Ｗ／ｍＫ）を、さらにサンプル厚さで除した値であり、数値が大きくなるほど熱を通しやすいことを意味する。
Ｂ−３．熱抵抗ＴＲ
熱抵抗（ｍ２Ｋ  ／  Ｗ）は、熱コンダクタンスの逆数であり、数値が大きくなるほど熱を通しにくいことを意味する。
Ｂ−４．熱損失Ｑ
熱損失Ｑは、数値が大きくなるほど保温性が小さいことを意味するものである。なお、Ｑｄは液未吸収の乾燥状態における熱損失値、Ｑｗは人工経血を３ｍｌ吸収させて、経血吸収時を模した状態における熱損失値をそれぞれ意味する。
【００４１】
《ＫＥＳ−Ｆ８  通気性試験機による測定》
Ａ．試験方法
サンプルの厚さ方向の一方側から空気を送風し、他方側から空気を吸引したときのサンプルにかかる抵抗値を測定するものである。
【００４２】
Ｂ．測定値  「通気抵抗ＡＲ」
通気抵抗（ｋＰａ・ｓｅｃ／ｍ）は、数値が大きくなるほど空気が通りにくいことを意味するものである。
【００４３】
《結果・考察》
各試験機による測定結果を表１に示す。また、夏季・生理無し、夏季・生理有り、冬季・生理有りにおける官能評価値を表２にそれぞれ示す。また、官能評価（生理有りのみ）と各測定値との相関係数を表３〜表１２にそれぞれ示す。なお、表３〜表１２中の◎記号は相関が著しく高いものを示し、○記号は相関が高いものを示し、△記号は相関が十分にあるものを意味し、空欄は相関が殆どないか又は相関はあるがそれほど強くないものを意味する。これらの結果からも判るように、実施例１、２の生理用ナプキンは、本発明の数値範囲の組み合わせを満足するものであり、総合的官能評価としての使用感についても、本発明の数値範囲の組み合わせを満足しない市販品と比較して、顕著に優れることが判明した。
【００４４】
【表１】
2004344532.tif 000002
【００４５】
【表２】
2004344532.tif 000003
【００４６】
【表３】
2004344532.tif 000004
【００４７】
【表４】
2004344532.tif 000005
【００４８】
【表５】
2004344532.tif 000006
【００４９】
【表６】
2004344532.tif 000007
【００５０】
【表７】
2004344532.tif 000008
【００５１】
【表８】
2004344532.tif 000009
【００５２】
【表９】
2004344532.tif 000010
【００５３】
【表１０】
2004344532.tif 000011
【００５４】
【表１１】
2004344532.tif 000012
【００５５】
【表１２】
2004344532.tif 000013
【００５６】
【発明の効果】
以上のとおり、本発明によれば、より総合評価の高い体液吸収性物品となる、客観的な総合評価が可能となり製品の開発や生産管理が容易になる、などの利点がもたらされる。
【図面の簡単な説明】
【図１】一般的な生理用ナプキンの構造を概略的に示す図である。
【符号の説明】
１…表面材、２…バックシート、３…吸収体、４…セカンドシート。
【図１】
2004344532.tif 000014
【手続補正書】
【提出日】平成15年5月26日(2003.5.26)
【手続補正１】
【補正対象書類名】明細書
【補正対象項目名】０００５
【補正方法】変更
【補正の内容】
【０００５】
したがって、製品の開発過程では、多数の人の支持が得られるように、ある程度の人数の官能評価をその都度経ながら、順次項目ごとの改良を加えて行くことのほかに方策がない。（例えば特許文献１参照）。
【特許文献１】
特開２００２−３４５８８５号公報


【手続補正２】
【補正対象書類名】明細書
【補正対象項目名】０００８
【補正方法】変更
【補正の内容】
【０００８】
したがって、本発明の主たる課題は、より総合評価の高い製品を提供することにある。また、他の課題は、製品の開発や生産管理を容易にすることにある。